(57)【要約】【課題】使い勝手に優れたコンソールボックス用ミラー装置を提供する。【解決手段】バニティミラー２９の左右のミラー角度は、回動基板１３を回動させて調整するから、後部座席の乗員が使用の際顔をバニティミラー２９に近付ける必要がない。回動基板１３の下部基板１６の円弧形端面１８に形成した節度凹部２０には、節度バネ２４の係合部２６がバネ弾力により係合し、該バネ弾力に抗する回動基板１３の回動にはガタを生じることがなく、バニティミラー２９を任意のミラー角度に調整して静止できる。また、回動基板１の上部基板１７に庇部２１を設けて、ロック及び節度機構２７を隠すようにしたから、ミラー装置１１全体の意匠感が違和感なくまとまって見栄えが良好になる。回動基板の下面に複数の節度凹部を形成し、スペーサにバネ座金の弾力により浮沈可能に取り付けた節度ボールが該節度凹部に係合する節度機構を用いてもよい。【選択図】        図２
2004210150.tif 000002
【特許請求の範囲】
【請求項１】
反転して略水平に開くコンソールボックスの上蓋の裏面にバニティミラーを起立可能に設けるとともに、該上蓋上で略水平面に沿って回動させてミラー角度を調整できるようミラー角度調整装置を設けたことを特徴とするコンソールボックス用ミラー装置
【請求項２】
前記ミラー角度調整装置は、前記上蓋の裏面に設けた回動中心軸と、該回動中心軸に回動可能に嵌着した回動基板と、該回動基板に起立可能に装着したバニティミラーと、前記回動基板の円弧形端面に複数の節度凹部を形成し、前記上蓋に取り付けた節度バネが該節度凹部に係合する節度機構と、から構成したことを特徴とする請求項１に記載のコンソールボックス用ミラー装置。
【請求項３】
前記回動基板に、円弧形端面に複数の節度凹部を形成した部分より上部が水平に張り出してなる庇部を形成して、該庇部の下面に前記節度機構を隠すようにしたことを特徴とする請求項２に記載のコンソールボックス用ミラー装置。
【請求項４】
前記ミラー角度調整装置は、前記上蓋の裏面に設けた回動中心軸と、該回動中心軸に回動可能に嵌着した回動基板と、該回動基板に起立可能に固定したバニティミラーと、前記回動基板の下面に複数の節度凹部を形成し、前記上蓋にバネ座金の弾力により浮沈可能に取り付けた節度ボールが該節度凹部に係合する節度機構と、から構成したことを特徴とする請求項１に記載のコンソールボックス用ミラー装置。
【発明の詳細な説明】
【０００１】
【発明の属する技術分野】
本発明は、コンソールボックス用ミラー装置に関するものである。
【０００２】
【従来の技術】
コンソールボックスにバニティミラーを装着して、後部座席の乗員が利用できるようにしたものは、実開平４−２６８４３号公報及び特開平９−３０３３２号公報に開示されている。実開平４−２６８４３号公報の後部座席乗員用バニティミラーは、コンソールボックスの後部上面に車幅方向を軸として揺動自在な支持アームを設け、該支持アームの先端部にてミラーフレームの側面中央部を回動自在に支持し、該ミラーフレームの下端部を車長方向に摺動自在にコンソールボックスに支持し、上記ミラーフレームでミラーを支持したものである。
【０００３】
また、特開平９−３０３３２号公報の自動車の後部座席用バニティミラーは、コンソールボックスの後部に設けられた蓋の裏側に形成した収納部に、車両前後方向へ引出し可能に両側にレールを収納するとともに、これらのレール間に収納可能な形状のバニティミラー本体の両側面に、前記両側のレールに車両前後方向方向へ形成したガイド溝にそれぞれガイドされるピンを突設し、前記バニティミラー本体の両側面における前記ピンよりも車両後方寄りの位置及び両側の前記レールの後端部に、前記収納部から前記レールを引出して前記ピンを前記ガイド溝の車両後方側端部に位置させた状態で、前記バニティミラー本体が車両後方へ向けて斜め下方に支持されるように、車両後方へ向けて斜め上方へ向うリンクアームをそれぞれ枢着させ、これらのリンクアームを上方へ延長するとともに、これらの延長部間に小物入れを取付けたものである。
【０００４】
【発明が解決しようとする課題】
しかしながら、上記従来技術のものは何れもバニティミラーが上下方向に回動できるのみで、水平方向に角度調整することができない。通常コンソールボックスは、車両の幅方向の中央位置に配設されるため、コンソールボックスに対して左右に着席する後部座席の乗員がバニティミラーを使用する際には、顔をバニティミラーに近づける必要があり使い勝手がよくなかった。
本発明は上記問題点を解決するためになされたもので、使い勝手に優れたコンソールボックス用ミラー装置を提供することを目的とする。
【０００５】
【課題を解決するための手段】
上記の目的を達成するための請求項１に記載のコンソールボックス用ミラー装置は、反転して略水平に開くコンソールボックスの上蓋の裏面にバニティミラーを起立可能に設けるとともに、該上蓋上で略水平面に沿って回動させてミラー角度を調整できるようミラー角度調整装置を設けたことを特徴とする。
【０００６】
請求項２に記載のコンソールボックス用ミラー装置は、請求項１に記載の構成において、前記ミラー角度調整装置は、前記上蓋の裏面に設けた回動中心軸と、該回動中心軸に回動可能に嵌着した回動基板と、該回動基板に起立可能に固定したバニティミラーと、前記回動基板の円弧形端面に複数の節度凹部を形成し、前記上蓋に取り付けた節度バネが該節度凹部に係合する節度機構と、から構成したことを特徴とする。
【０００７】
請求項３に記載のコンソールボックス用ミラー装置は、請求項２に記載の構成において、前記回動基板に、円弧形端面に複数の節度凹部を形成した部分より上部が水平に張り出してなる庇部を形成して、該庇部の下面に前記節度機構を隠すようにしたことを特徴とする。
【０００８】
請求項４に記載されたコンソールボックス用ミラー装置は、請求項１に記載の構成において、前記ミラー角度調整装置は、前記上蓋の裏面に設けた回動中心軸と、該回動中心軸に回動可能に嵌着した回動基板と、該回動基板に起立可能に固定したバニティミラーと、前記回動基板の下面に複数の節度凹部を形成し、前記上蓋にバネ座金の弾力により浮沈可能に取り付けた節度ボールが該節度凹部に係合する節度機構と、から構成したことを特徴とする。
【０００９】
【作用及び発明の効果】
上記請求項１に記載のコンソールボックス用ミラー装置によれば、反転して略水平に開くコンソールボックスの上蓋の裏面にバニティミラーを起立可能に設けるとともに、該上蓋上で略水平面に沿って回動させてミラー角度を調整できるようミラー角度調整装置を設けたから、後部座席の乗員がバニティミラーを使用する際には、顔をバニティミラーに近づける必要がなく、使い勝手に優れたコンソールボックス用ミラー装置を提供できる。
【００１０】
請求項２に記載のコンソールボックス用ミラー装置によれば、回動中心軸に回動基板を回動可能に嵌着するとともに、該回動基板の円弧形端面に複数の節度凹部を形成し、上蓋に取り付けた節度バネが該節度凹部に係合する節度機構を備えているから、ガタを発生することなく水平回動させて所定位置に静止させることができる。
【００１１】
請求項３に記載のコンソールボックス用ミラー装置によれば、回動基板に、円弧形端面に複数の節度凹部を形成した部分より上部が水平に張り出してなる庇部を形成して、該庇部の下面に前記節度機構を隠すようにしたから、装置全体が意匠的にまとまって見栄えが良好になる。
【００１２】
請求項４に記載のコンソールボックス用ミラー装置によれば、回動中心軸に回動基板を回動可能に嵌着するとともに、回動基板の下面に複数の節度凹部を形成し、スペーサにバネ座金の弾力により浮沈可能に取り付けた節度ボールが該節度凹部に係合する節度機構を備えているから、ガタを発生することなく水平回動させて所定位置に静止させることができる。
【００１３】
【発明の実施の形態】
（第１実施形態）
本発明について添付図面を参照して説明する。図１は第１実施形態に係るセンターコンソールボックス１の概略の斜視図、図２は同、センターコンソールボックス用ミラー装置（以下ミラー装置という）１１の分解斜視図である。センタコンソールボックス１の上蓋２は、反転して略水平に開くようになっている。図２に示すようにミラー装置１１のミラー角度調整装置１２は、回動基板１３、スペーサ１４、回動中心軸１５と後述するロック及び節度機構２７とから構成されている。ミラー角度調整装置１２は、回動基板１３が上蓋２の裏面３と略面一となるように、該上蓋２の裏面３に形成した装着凹部４に装着される。
【００１４】
回動基板１３は、それぞれ略半円形の下部基板１６と上部基板１７の２枚重ね構造であって、下部基板１６の円弧形端面１８にはその全体に亘って複数の節度凹部１９が連続して形成されている（図２、図３参照）。そして、円弧形端面１８の中央となるセンタ位置Ｃには、節度凹部１９よりも深いＶ字形に形成したロック用の係合凹部２０が形成されている。上部基板１７は下部基板１６の全体を覆うように張り出した庇部２１が形成されている。
【００１５】
上記回動基板１３とスペーサ１４は、回動中心軸１５を嵌挿して回動可能に取り付けられる。スペーサ１４は、回動基板１３を回動させて現れるネジ挿通孔２２に締着ネジ２３を挿通して、上蓋２の裏面３に形成した装着凹部４に締着される。同時にバネ装着凹部５に装着した節度バネ２４もスペーサ１４とともに固定される。節度バネ２４はバネ本体２５に形成したＶ字状の係合部２６を、上記下部基板１６の円弧形端面１８に形成した複数の節度凹部１９及びロック用の係合凹部２０に係合させる。これによりミラー角度調整装置１２のロック及び節度機構２７が構成される。該ロック及び節度機構２７は、回動基板１３の上部基板１７の庇部２１の下面に隠れる（図４参照）。
【００１６】
回動基板１３の上面には、蝶番２８により起立可能にバニティミラー２９が固定される。バニティミラー２９を固定するネジにより下部基板１６と上部基板１７が固定される。バニティミラー２９は、節度バネ２４の係合部２６をロック用の係合凹部２０に係合させた状態で倒したとき、図示しないロック機構により上蓋２の裏面３上にロックされるようになっている。
【００１７】
上記構成のミラー装置１１は、センタコンソールボックス１の上蓋２を反転させて略水平に開き、バニティミラー２９を起立させて使用する。バニティミラー２９の水平方向（左右）のミラー角度は、ミラー角度調整装置１２の回動基板１３を回動させて調整する。これにより、後部座席の乗員がバニティミラー２９を使用する際には、顔をバニティミラー２９に近づける必要がなく使い勝手が向上する。
【００１８】
また、回動基板１３の下部基板１６の円弧形端面１８に形成した節度凹部１９には、節度バネ２４の係合部２６がバネ弾力により係合している。このため、該バネ弾力に抗する回動基板１３の回動にはガタを生じることがなく、バニティミラー２９を任意のミラー角度に調整して静止させることができる。
【００１９】
さらに、回動基板１３を半円形に形成したから、スペーサ１４を上蓋２に固定する場合には、スペーサ１４上で回動基板１３を回動させることにより、スペーサ１４に形成したネジ挿通孔２２を現すことができ、回動基板１３に作業孔を設ける必要がない。また、回動基板１の上部基板１７に庇部２１を設けて、その下面にロック及び節度機構２７を隠すようにしたから、ミラー装置１１全体の意匠感が違和感なくまとまって見栄えが良好になる。
【００２０】
尚、回動基板１３は、下部基板１６と上部基板１７の２枚重ね構造ではない一体成形とすることもできる。
【００２１】
（第２実施形態）
第２実施形態のミラー装置３１の基本的構造は、第１実施形態のミラー装置１１と同一であるので、同一部分には第１実施形態の説明で使用した符号を付して詳細な説明を省略する。ミラー装置３１のミラー角度調整装置３２は、図５に示すように回動基板３３、スペーサ３４、回動中心軸３５と後述するロック及び節度機構４３から構成されている。ミラー角度調整装置３２は、回動基板３３が上蓋２の裏面３と略面一となるように、該上蓋２の裏面３に形成した装着凹部４に装着される。
【００２２】
回動基板３３とスペーサ３４は、それぞれ略半円形に形成されている。回転基板３３は下面にスペーサ３４が隠れるように、スペーサ３４よりも大きく形成されている。回動基板３３とスペーサ３４は不織布３６を挟んで重ね合わせ、回動中心軸３５を嵌挿して回動可能に取り付けられる。不織布３６は、スペーサ３４の後述する装着孔３９、ネジ挿通孔４２及び回動中心軸３５の嵌挿孔に対応する部分に穴が設けてある。図６及び図７に示すように、回動基板３３の下面には、回動中心から同一半径で、半円形のセンター位置Ｃとその左右の所定角度位置の都合３箇所に、節度凹部３７ａ，３７ｂ，３７ｃが形成されている。
【００２３】
また、スペーサ３４には、上記節度凹部３７ａ，３７ｂ，３７ｃが設けられた半径位置にバネ座金３８の装着孔３９が穿設されている。バネ座金３８は、そのフランジ４０を装着孔３９の孔縁部に掛けて装着されている。そして、バネ座金３８の中心には、節度ボール４１が支承されている。これにより、ミラー角度調整装置３２のロック及び節度機構４３が構成される。このスペーサ３４は、回動基板３３を回動させて現れるネジ挿通孔４２に締着ネジ４４を挿通して、上蓋２の裏面３に形成した装着凹部４に締着される。
【００２４】
回動基板３３の上面には、蝶番２８により起立可能にバニティミラー２９が固定される。また、バニティミラー２９は、センター位置Ｃの節度凹部３７ａに節度ボール４１を対応させた状態で倒したとき、図示しないロック機構により上蓋２の裏面３上にロックされるようになっている。
【００２５】
上記構成のミラー装置３１は、センタコンソールボックス１の上蓋２を反転させて略水平に開き、バニティミラー２９を起立させて使用する。バニティミラー２９の水平方向（左右）のミラー角度は、回動基板３３を回動させて調整する。
回動基板３３を回動させて、節度ボール４１が節度凹部３７ａ，３７ｂ，３７ｃの何れかに対応すると、バネ弾力により該節度ボール４１が浮上して節度凹部３７ａ，３７ｂ，３７ｃの何れかに入り込んで係合し節度感を生じる（図６）。節度ボール４１が節度凹部３７ａ，３７ｂ，３７ｃの何れにも対応しない場合には、回動基板３３の下面に押された節度ボール４１が、バネ弾力に抗してバネ座金３８の中心に沈み込む（図７）。
【００２６】
バニティミラー２９のミラー角度の調整は、回動基板３３をバネ座金３８に支承した節度ボール４１が左右の節度凹部３７ｂ，３７ｃの何れかに入り込む位置まで回動させて行う。この場合、回動基板３３とスペーサ３４間に不織布３６を介在させているとともに、バネ座金３８のバネ弾力が作用しているから、回動基板３３の回動にガタを生じることがない。
【００２７】
さらに、回動基板３３が半円形に形成されているから、スペーサ３４を上蓋２に固定する場合には、スペーサ３４上で回動基板３３を回動させて、スペーサ３４に形成したネジ挿通孔４２を現すことができ、回動基板３３に作業孔を設ける必要がない。従って、ミラー装置３１全体の意匠感が違和感なくまとまって見栄えが良好になる。
【００２８】
尚、上記第１実施形態の回動中心軸１５及び第２実施形態の回動中心軸３５は、直接上蓋２の装着凹部４に立設することもできる。また、スペーサ１４若しくは３４を省略して、装着凹部４内で回動基板１３若しくは３３を回動させることもできる。
【図面の簡単な説明】
【図１】第１実施形態に係るセンターコンソールボックスの概略の斜視図である。
【図２】同、ミラー装置の分解斜視図である。
【図３】回動基板の下部基板とスペーサの一部切欠斜視図である。
【図４】回動基板の取り付け状態を示した要部の断面図である。
【図５】第２実施形態に係るミラー装置の分解斜視図である。
【図６】回動基板の取り付け状態を示した要部の断面図である。
【図７】要部の断面図である。
【符号の説明】
１．．．センターコンソールボックス
２．．．上蓋
３．．．裏面
１１，３１．．．ミラー装置
１２，３２．．．ミラー角度調整装置
１３，３３．．．回動基板
１５，３５．．．回動中心軸
１６．．．下部基板
１７．．．上部基板
１８．．．円弧形端面
１９．．．節度凹部
２０．．．係合凹部
２１．．．庇部
２２，４２．．．ネジ挿通孔
２４．．．節度バネ
２７，４３．．．ロック及び節度機構
２９．．．バニティミラー
３７ａ〜３７ｃ．．．節度凹部
３８．．．バネ座金
４１．．．節度ボール
【図１】
2004210150.tif 000003
【図２】
2004210150.tif 000004
【図３】
2004210150.tif 000005
【図４】
2004210150.tif 000006
【図５】
2004210150.tif 000007
【図６】
2004210150.tif 000008
【図７】
2004210150.tif 000009